(57)【要約】【課題】放送コンテンツがインターネット等の通信ネットワークを介して配信される場合に、配信コンテンツがどのようなフォーマットのコンテンツであるかを、配信元に確認することなく判別可能とする。【解決手段】放送送信装置１は、デジタル放送で放送される放送コンテンツが通信ネットワーク４を介してオンデマンドで配信される場合の、配信コンテンツのフォーマットを示すフォーマット情報を、放送コンテンツを記述するＥＩＴ情報に記述したＳＩを生成し、生成されたＳＩをトランスポートストリームに多重化してデジタル放送で放送受信装置２へ送信する。【選択図】図１
2012110050.tif 000002
【特許請求の範囲】
【請求項１】
デジタル放送で放送される放送コンテンツが通信ネットワークを介してオンデマンドで配信される場合の、当該通信ネットワークを介してオンデマンドで配信される配信コンテンツのフォーマットを示すフォーマット情報を、当該放送コンテンツを記述するＥＩＴ（Event  Information  Table）情報に記述したＳＩ（Service  Information）を生成する生成手段と、
生成された前記ＳＩをトランスポートストリームに多重化してデジタル放送で送信する送信手段と、
を備えることを特徴とする放送送信装置。
【請求項２】
前記フォーマット情報は、前記配信コンテンツの３Ｄ（立体）映像のフォーマットにかかる情報であること、
を特徴とする請求項１に記載の放送送信装置。
【請求項３】
前記フォーマット情報は、前記配信コンテンツの映像の解像度にかかる情報であること、
を特徴とする請求項１に記載の放送送信装置。
【請求項４】
前記生成手段は、前記配信コンテンツの受信にかかる受信情報を、ＥＩＴ情報に記述したＳＩを生成すること、
を特徴とする請求項１乃至３のいずれか一項に記載の放送送信装置。
【請求項５】
前記生成手段は、前記配信コンテンツの再生にかかる再生情報を、ＥＩＴ情報に記述したＳＩを生成すること、
を特徴とする請求項１乃至４のいずれか一項に記載の放送送信装置。
【請求項６】
デジタル放送で放送されたトランスポートストリームを受信する受信手段と、
前記受信されたトランスポートストリームに多重化されているＳＩを分離する分離手段と、
分離された前記ＳＩのＥＩＴ情報に記述されている、デジタル放送で放送される放送コンテンツが通信ネットワークを介してオンデマンドで配信される場合の、当該通信ネットワークを介して配信される配信コンテンツのフォーマットを示すフォーマット情報を参照し、前記配信コンテンツのフォーマットが自装置に対応するか否かを判別する判別手段と、
前記判別手段の判別結果に応じて前記配信コンテンツへアクセスするアクセス手段と、
を備えることを特徴とする放送受信装置。
【請求項７】
生成手段が、デジタル放送で放送される放送コンテンツが通信ネットワークを介して配信される場合の、当該通信ネットワークを介してオンデマンドで配信される配信コンテンツのフォーマットを示すフォーマット情報を、当該放送コンテンツを記述するＥＩＴ（Event  Information  Table）情報に記述したＳＩ（Service  Information）を生成する生成ステップと、
送信手段が、生成された前記ＳＩをトランスポートストリームに多重化してデジタル放送で送信する送信ステップと、
を含むことを特徴とする放送送信方法。
【発明の詳細な説明】
【技術分野】
【０００１】
本発明の実施形態は、放送送信装置、放送受信装置及び放送送信方法に関する。
【背景技術】
【０００２】
従来、デジタル放送においては、放送される番組（コンテンツ）の名前（タイトル）や内容などを記述したＥＩＴ（Event  Information  Table）情報を、コンテンツの映像信号、音声信号とともにＭＰＥＧ−２  Ｓｙｓｔｅｍｓ規定のＴＳ（Transport  Stream）という形式の中に、放送信号として多重伝送している。このＥＩＴ情報は、社団法人電波産業会のＡＲＩＢ  ＳＴＤ−Ｂ１０などで規定されたＳＩ（Service  Information）とも呼ばれる各種の情報テーブルの一つであり、選局処理や電子番組ガイド（ＥＰＧ：Electronic  Program  Guide）等の表示に利用される。
【先行技術文献】
【特許文献】
【０００３】
【特許文献１】特開２０１０−７４２３８号公報
【発明の概要】
【発明が解決しようとする課題】
【０００４】
ところで、放送局では、デジタル放送により放送される番組（コンテンツ）を、インターネット等の通信ネットワークを介して配信することが試みられている。通信ネットワークを介して配信する場合には、その利用帯域やフォーマットの選択などで放送に比べ自由度があり、放送局は放送と同じコンテンツ素材を使って最新の技術を導入して多様なサービスを提供できる利点がある。しかしながら、ＥＩＴ情報には、放送されるコンテンツの名前や内容などしか記述されておらず、そのコンテンツがインターネット等の通信ネットワークを介して配信されるコンテンツの有無やその関連情報までは記述されていない。したがって、放送されるコンテンツがインターネット等の通信ネットワークを介して配信される場合、どのようなフォーマットのコンテンツが配信されるのかについては、配信元である配信サーバからコンテンツの配信を受けるなどして確認しなければ分からなかった。
【０００５】
例えば、デジタル放送では、予め定められた放送帯域でコンテンツを放送する必要があり、またそのサービスの性質上、映像や音声等のフォーマットや符号化方式、伝送方式などは一度規定すると長期にわたり安定して運用される前提である。このため、放送規格で規定された従来のフォーマット以外のコンテンツ、例えば３Ｄ（立体）映像が再生可能なテレビジョン受信機などに対応した３Ｄフォーマットのコンテンツやフルハイビジョン（ＨＤ）よりも更に解像度の高い４０００×２０００画素程度（４Ｋ２Ｋ）の映像コンテンツについては、インターネット等の通信ネットワークを介して配信する場合がある。このように、放送されるコンテンツがインターネット等の通信ネットワークを介して別途配信される場合、通信ネットワークを介して配信されるコンテンツが自装置で再生可能か否かについては、配信元である配信サーバに別途アクセスし、この配信サーバからコンテンツの配信を受けるなどして確認しなければ分からなかった。
【０００６】
本発明は、上記に鑑みてなされたものであって、放送されるコンテンツがインターネット等の通信ネットワークを介して配信される場合に、配信元である配信サーバに確認することなく、通信ネットワークを介して配信されるコンテンツがどのようなフォーマットのコンテンツであるかを判別可能とすることを目的とする。
【課題を解決するための手段】
【０００７】
上述した課題を解決し、目的を達成するために、実施形態の放送送信装置は、デジタル放送で放送される放送コンテンツが通信ネットワークを介してオンデマンドで配信される場合の、当該通信ネットワークを介してオンデマンドで配信される配信コンテンツのフォーマットを示すフォーマット情報を、当該放送コンテンツを記述するＥＩＴ（Event  Information  Table）情報に記述したＳＩ（Service  Information）を生成する生成手段と、生成された前記ＳＩをトランスポートストリームに多重化してデジタル放送で送信する送信手段と、を備えることを特徴とする。
【０００８】
実施形態の放送受信装置は、デジタル放送で放送されたトランスポートストリームを受信する受信手段と、前記受信されたトランスポートストリームに多重化されているＳＩを分離する分離手段と、分離された前記ＳＩのＥＩＴ情報に記述されている、デジタル放送で放送される放送コンテンツが通信ネットワークを介してオンデマンドで配信される場合の、当該通信ネットワークを介して配信される配信コンテンツのフォーマットを示すフォーマット情報を参照し、前記配信コンテンツのフォーマットが自装置に対応するか否かを判別する判別手段と、前記判別手段の判別結果に応じて前記配信コンテンツへアクセスするアクセス手段と、を備えることを特徴とする。
【０００９】
実施形態の放送送信方法は、生成手段が、デジタル放送で放送される放送コンテンツが通信ネットワークを介してオンデマンドで配信される場合の、当該通信ネットワークを介してオンデマンドで配信される配信コンテンツのフォーマットを示すフォーマット情報を、当該放送コンテンツを記述するＥＩＴ（Event  Information  Table）情報に記述したＳＩ（Service  Information）を生成する生成ステップと、送信手段が、生成された前記ＳＩをトランスポートストリームに多重化してデジタル放送で送信する送信ステップと、を含むことを特徴とする。
【図面の簡単な説明】
【００１０】
【図１】図１は、通信ネットワーク利用も想定した放送システムの一例を示すブロック図である。
【図２】図２は、放送送信装置の構成を示すブロック図である。
【図３】図３は、放送送信装置の動作の一例を示すフローチャートである。
【図４】図４は、ＥＩＴ情報のデータ構造を示す図である。
【図５】図５は、ＥＩＴ情報の記述内容を例示する概念図である。
【図６】図６は、ＥＩＴ情報の記述内容を例示する概念図である。
【図７】図７は、ＥＩＴ情報の記述内容を例示する概念図である。
【図８】図８は、放送受信装置の構成を示すブロック図である。
【図９】図９は、放送受信装置の動作の一例を示すフローチャートである。
【図１０】図１０は、選択画面の一例を示す概念図である。
【図１１】図１１は、放送受信装置の配信コンテンツの再生にかかる動作の一例を示すフローチャートである。
【発明を実施するための形態】
【００１１】
以下に添付図面を参照して、本実施形態にかかる放送送信装置、放送受信装置及び放送送信方法を詳細に説明する。先ず、本実施形態にかかる放送送信装置及び放送受信装置を有する放送システムの概要を説明する。
【００１２】
図１は、通信ネットワーク利用も想定した放送システム１００の一例を示すブロック図である。図１に示すように、通信ネットワーク利用も想定した放送システム１００は、放送送信装置１と、放送受信装置２と、配信サーバ３とを有する構成である。放送送信装置１は、いわゆるデジタル放送を行う機器である。放送送信装置１は、放送局１０などに設置され、トランスポートストリーム（ＴＳ）に多重化してコンテンツにかかる映像や音声などのデータやＥＩＴ情報を放送受信装置２に向けて送信（放送）する。
【００１３】
放送受信装置２は、ＴＳに多重化されて放送されるコンテンツ（放送コンテンツ）やＥＩＴ情報を受信する機器であり、例えばテレビジョン受信装置、ＨＤＤ（Hard  Disk  Drive）等の大容量記憶媒体へコンテンツを録画するレコーダ、デジタル放送を受信可能なチューナー等であってよい。放送受信装置２は、ルータ等であるＧＷ５ａを介して通信ネットワーク４と接続している。なお、以下の説明において、放送コンテンツは放送送信装置１よりＴＳに多重されて放送されるコンテンツを示し、ＩＰ放送により配信されるコンテンツとは区別されるものとする。
【００１４】
配信サーバ３は、ビデオオンデマンド（ＶＯＤ）やＩＰ放送などで、コンテンツの配信を行うサーバ装置である。配信サーバ３は、ルータ等のＧＷ５ｂを介して通信ネットワーク４と接続している。したがって、放送受信装置２は、配信サーバ３より配信されるコンテンツ（配信コンテンツ）を、通信ネットワーク４を介して受信可能となっている。
【００１５】
放送局１０側では、放送送信装置１が放送受信装置２に放送する放送コンテンツの中の一部のコンテンツを、３Ｄ映像が再生可能なテレビジョン受信機などに対応した３Ｄフォーマットや、フルハイビジョンよりも更に高解像度の４Ｋ２Ｋの配信コンテンツとして、配信サーバ３より通信ネットワーク４を介して放送受信装置２に配信する場合がある。このように、放送コンテンツの中で通信ネットワーク４を介して配信される配信コンテンツについては、その配信コンテンツのフォーマットにかかる配信コンテンツフォーマット情報や、その配信コンテンツの受信、再生にかかる受信再生関連情報を記述したＥＩＴ情報が放送送信装置１より放送受信装置２に放送される。したがって、放送受信装置２では、放送送信装置１より放送されるＥＩＴ情報を参照することで、配信サーバ３に別途アクセスして確認することなく、放送コンテンツの中で通信ネットワーク４を介して配信される配信コンテンツがどのようなフォーマットのコンテンツであるかを判別可能となる。
【００１６】
ここで、放送送信装置１の構成、動作について説明する。図２は、放送送信装置１の構成を示すブロック図である。図３は、放送送信装置１の動作の一例を示すフローチャートである。
【００１７】
図２に示すように、放送送信装置１は、映像符号化部１１、音声符号化部１２、ＰＥＳ化部１３ａ、１３ｂ、１３ｃ、ＳＩ情報生成部１４、セクション化部１５及び送信部１６を有する構成である。映像符号化部１１は、放送コンテンツにかかる映像信号Ｉ１を符号化する。音声符号化部１２は、放送コンテンツにかかる音声信号Ｉ２を符号化する。ＰＥＳ化部１３ａ、１３ｂ、１３ｃ（PES：Packetized  Elementary  Stream）は、映像符号化部１１により符号化された映像信号、音声符号化部１２により符号化された音声信号、字幕／文字スーパーＩ３のデータなどをパケット化する。
【００１８】
ＳＩ情報生成部１４は、番組を伝送するチャンネルの情報や現在及び将来放送予定の番組（コンテンツ）の情報などの番組関連情報Ｉ４を基に、ＳＤＴ（Service Description Table）やＥＩＴ（Event Information Table）などのＳＩ情報（以下、ＳＩ）を生成する。セクション化部１５は、ＳＩ情報生成部１４が生成したＳＩを、セクション形式のＳＩテーブルに格納するセクション化を行う。なお、番組関連情報Ｉ４は、これから放送される放送コンテンツの他、既に放送された放送コンテンツも含まれてよく、過去、現在及び将来放送予定の番組（コンテンツ）の情報などであってよい。
【００１９】
番組関連情報Ｉ４には、放送コンテンツ（番組）の名前や内容などの他に、その放送コンテンツが通信ネットワーク４を介して配信される場合の、配信コンテンツのフォーマットにかかる配信コンテンツフォーマット情報や、その配信されるコンテンツの受信、再生にかかる受信再生関連情報を含めることができる。したがって、ＳＩ情報生成部１４は、放送コンテンツが通信ネットワーク４を介して配信される場合の、配信コンテンツフォーマット情報や、受信再生関連情報をＥＩＴ情報に記述したＳＩを生成する（図３、Ｓ１）。
【００２０】
図４は、ＥＩＴ情報Ｉ３ａのデータ構造を示す図である。図４に示すように、ＥＩＴ情報Ｉ３ａには、Ｅｖｅｎｔ＿ｉｎｆｏｒｍａｔｉｏｎ＿ｓｅｃｔｉｏｎ（）以下に、番組を伝送するチャンネルとそのチャンネル内で伝送される個々の番組の情報、例えば、番組の開始時間や番組長などがその番組を識別する識別子（ｅｖｅｎｔ＿ｉｄ）とともに記述される。更に、後続する記述子領域（ｄｅｓｃｒｉｐｔｏｒ（））では別途定義される記述子を適宜挿入して、さまざまな番組関連情報を追加記載する。例えば、記述子領域には番組関連情報Ｉ４が記載される。
【００２１】
図５〜７は、ＥＩＴ情報Ｉ３ａの記述内容を例示する概念図であり、図４のＥＩＴ情報Ｉ３ａの記述子領域に配置可能な記述子とその記述内容を例示している。図５に示すように、本実施形態では、ＶＯＤ＿ｌｉｎｋａｇｅ＿ｄｅｓｃｒｉｐｔｏｒ（）（以下、ＶＯＤ連携記述子と仮称記載）を新規に定義し、その中に通信ネットワーク４経由で別途連携して提供される配信コンテンツのフォーマット情報や受信再生関連情報を配信コンテンツごとに記述する。
【００２２】
具体的には、受信再生関連情報としては、ｒｅｔｕｒｎ＿ｔｏ＿ｂｒｏｄｃａｓｔ＿ｆｌａｇ、ｄｅｌｉｖｅｒｙ＿ｔｙｐｅ、ｃｏｎｔｒａｃｔ＿ｆｌａｇ、ｓｔａｒｔ＿ｔｉｍｅ＿ｏｆｆｓｅｔ＿ｐｏｌａｒｉｔｙ、ｓｔａｒｔ＿ｔｉｍｅ＿ｏｆｆｓｅｔ、ｅｘｐｉｒａｔｉｏｎ＿ｄａｔｅ、ｕｒｉ＿ｃｈａｒなどがある。
【００２３】
ｒｅｔｕｒｎ＿ｔｏ＿ｂｒｏｄｃａｓｔ＿ｆｌａｇは、配信コンテンツの再生終了後に、その配信コンテンツの再生前に受信していた放送への遷移の要否を示す、１ビットのフラグである。例えば、０：戻り不要、１：配信コンテンツの再生前に受信していた放送へ戻るなどを記述する。
【００２４】
ｄｅｌｉｖｅｒｙ＿ｔｙｐｅは、配信コンテンツの配信方式を示す１ビットのフラグである。例えば、０：ストリーミング、１：ダウンロードなどを記述する。
【００２５】
ｃｏｎｔｒａｃｔ＿ｆｌａｇは、配信コンテンツの受信再生における契約の要否（有料／無料）を示す１ビットのフラグである。例えば、０：契約不要（無料）、１：契約必要（有料）などを記述する。
【００２６】
ｓｔａｒｔ＿ｔｉｍｅ＿ｏｆｆｓｅｔ＿ｐｏｌａｒｉｔｙは、ｓｔａｒｔ＿ｔｉｍｅ＿ｏｆｆｓｅｔで定められるオフセット時間の極性を示す１ビットのフラグである。例えば、０：オフセット時間だけ進める、１：オフセット時間だけ遅らせるなどを記述する。
【００２７】
ｓｔａｒｔ＿ｔｉｍｅ＿ｏｆｆｓｅｔは、放送コンテンツの放送開始から、その放送コンテンツにかかる配信コンテンツの再生開始までのオフセット時間を、１６ビットのフィールドにより−１２時間から＋１２時間の範囲で指定する。具体的には、オフセット時間の１０時間の位、１時間の位、１０分の位、１分の位の４個の要素を、それぞれ４ビット２進化１０進数（ＢＣＤ：Binary-Coded  Decimal）で符号化して指定する。
【００２８】
ｅｘｐｉｒａｔｉｏｎ＿ｄａｔｅは、配信コンテンツの再生期限を４０ビットのフィールドで示す。具体的には、ＭＪＤ（Modified  Julian  Date）の下位１６ビットを１６ビットで符号化し、続く２４ビットを６個の４ビット２進化１０進数（ＢＣＤ）で符号化して再生期限を示す。なお、再生期限を定義しない場合には、４０ビットのフィールド全てに「１」を設定する。
ｕｒｉ＿ｃｈａｒは、例えば配信コンテンツの格納場所を示すＵＲＩ（Uniform  Resource  Identifier）の文字列を格納する。
【００２９】
受信再生関連情報として上述したｒｅｔｕｒｎ＿ｔｏ＿ｂｒｏｄｃａｓｔ＿ｆｌａｇ、ｄｅｌｉｖｅｒｙ＿ｔｙｐｅ、ｃｏｎｔｒａｃｔ＿ｆｌａｇ、ｓｔａｒｔ＿ｔｉｍｅ＿ｏｆｆｓｅｔ＿ｐｏｌａｒｉｔｙ、ｓｔａｒｔ＿ｔｉｍｅ＿ｏｆｆｓｅｔ、ｅｘｐｉｒａｔｉｏｎ＿ｄａｔｅ、ｕｒｉ＿ｃｈａｒ等をＥＩＴ情報Ｉ３ａに記述することで、放送受信装置２では、通信ネットワーク４を介して配信されるコンテンツの受信や再生にかかる情報を、配信サーバ３に直接確認する手間を省くことができる。
【００３０】
また、配信コンテンツフォーマット情報としては、ｅｘｔｅｎｄｅｄ＿ｖｉｄｅｏ＿ｒｅｓｏｌｕｔｉｏｎ＿ｆｏｒｍａｔ＿ｆｌａｇ、ｅｘｔｅｎｄｅｄ＿ｖｉｄｅｏ＿ｒｅｓｏｌｕｔｉｏｎ＿ｆｏｒｍａｔ、３Ｄ＿ｖｉｄｅｏ＿ｆｏｒｍａｔ＿ｆｌａｇ、３Ｄ＿ｖｉｄｅｏ＿ｆｏｒｍａｔなどがある。
【００３１】
ｅｘｔｅｎｄｅｄ＿ｖｉｄｅｏ＿ｒｅｓｏｌｕｔｉｏｎ＿ｆｏｒｍａｔ＿ｆｌａｇは、配信コンテンツの映像が現行の放送仕様から拡張された解像度の映像であるか否かを示す１ビットのフラグである。例えば、０：拡張なし（現行の放送仕様に準拠）、１：拡張ありなどを記述する。
【００３２】
ｅｘｔｅｎｄｅｄ＿ｖｉｄｅｏ＿ｒｅｓｏｌｕｔｉｏｎ＿ｆｏｒｍａｔは、現行の放送仕様から拡張された解像度の情報を８ビットのフィールドにより示す。具体的には、図６に示すように、０ｘ００〜０ｘ７ｆの値で拡張された解像度を示し、例えば０ｘ０１により４Ｋ２Ｋの解像度であることを示す。
【００３３】
３Ｄ＿ｖｉｄｅｏ＿ｆｏｒｍａｔ＿ｆｌａｇは、配信コンテンツの映像が３Ｄフォーマットの映像を含むか否かを示す１ビットのフラグである。例えば、０：３Ｄフォーマットの映像を含まない、１：３Ｄフォーマットの映像を含むなどを記述する。
【００３４】
３Ｄ＿ｖｉｄｅｏ＿ｆｏｒｍａｔは、３Ｄ映像フォーマットの識別情報を８ビットのフィールドにより示す。具体的には、図７に示すように、配信コンテンツに含まれる３Ｄ信号の伝送フォーマットが、サイドバイサイド方式などの各種フォーマットの中のいずれのフォーマットであるかを、０ｘ００〜０ｘ７ｆの値で示す。例えば、０ｘ０８によりサイドバイサイド方式であることを示す。
【００３５】
配信コンテンツフォーマット情報として上述したｅｘｔｅｎｄｅｄ＿ｖｉｄｅｏ＿ｒｅｓｏｌｕｔｉｏｎ＿ｆｏｒｍａｔ＿ｆｌａｇ、ｅｘｔｅｎｄｅｄ＿ｖｉｄｅｏ＿ｒｅｓｏｌｕｔｉｏｎ＿ｆｏｒｍａｔ、３Ｄ＿ｖｉｄｅｏ＿ｆｏｒｍａｔ＿ｆｌａｇ、３Ｄ＿ｖｉｄｅｏ＿ｆｏｒｍａｔ等をＥＩＴ情報Ｉ３ａに記述することで、放送受信装置２では、通信ネットワーク４を介して配信されるコンテンツのフォーマットを、配信サーバ３に直接確認する手間を省くことができる。
【００３６】
図２、３に示すように、送信部１６は、放送コンテンツにかかるデータやＳＩを多重化したトランスポートストリームをデジタル放送で送信する（Ｓ２，Ｓ３）。具体的には、送信部１６は、多重化部１６ａ、伝送路符号化部１６ｂを有する。多重化部１６ａは、ＰＥＳ化部１３ａ、１３ｂ、１３ｃによりパケット化された放送コンテンツにかかるデータに、セクション化されたＳＩを多重化したトランスポートストリームＴＳ１を生成する（図３、Ｓ２）。なお、トランスポートストリームＴＳ１は、ＥＭＭ（Entitlement  Management  Message）やＥＣＭ（Entitlement  Control  Message）を用いた限定受信に対応するため、スクランブラ（図示しない）によりペイロード部をスクランブルしてもよい。伝送路符号化部１６ｂは、ＯＦＤＭ(Orthogonal  Frequency  Division  Multiplexing)方式などにより、トランスポートストリームＴＳ１を伝送路符号化したトランスポートストリームＴＳ２を生成する。生成されたトランスポートストリームＴＳ２は、放送アンテナ（図示しない）より送信される（図３、Ｓ３）。
【００３７】
次に、放送受信装置２の構成について説明する。図８は、放送受信装置２の構成を示すブロック図である。図８に示すように、放送受信装置２は、伝送路復号部２０１、モジュールＩ／Ｆ部２０２、多重分離処理部２０３、ＰＳ／ＴＳ処理部２０４、映像復号部２０５、音声復号部２０６、ＯＳＤ処理部２０７（OSD:On-Screen  Display）、通信Ｉ／Ｆ部２０８、操作部２０９、ＮＶＲＡＭ２１０（NVRAM:Non-Volatile  RAM）、ＲＯＭ２１１（ROM:Read  Only  Memory）、ＲＡＭ２１２（RAM:Random  Access  Memory）、ＣＰＵ２１３（CPU:Central  Processing  Unit）、デスクランブラ２１４、記憶部２１５を備え、各部はバス２１６により接続される構成である。
【００３８】
伝送路復号部２０１は、受信アンテナ（図示しない）より受信されたトランスポートストリームＴＳ２を復号化し、放送コンテンツや、ＳＩが多重化されたトランスポートストリームＴＳ１を得る。モジュールＩ／Ｆ部２０２は、限定受信などにかかる鍵情報が格納されたセキュリティモジュール２２０と接続するインターフェースである。多重分離処理部２０３は、放送局側で多重化されたトランスポートストリームＴＳ１から放送コンテンツや、ＳＩなどを分離する。ＰＳ／ＴＳ処理部２０４は、トランスポートストリームやプログラムストリームにおいてパケット化された情報を復号化して映像信号や音声信号に戻す処理を行う。
【００３９】
映像復号部２０５は、ＰＳ／ＴＳ処理部２０４から出力された映像信号を復号し、復号した映像信号をＯＳＤ処理部２０７へ出力する。音声復号部２０６は、ＰＳ／ＴＳ処理部２０４から出力された音声信号を復号し、復号した音声信号を音声出力装置２２１へ出力する。音声出力装置２２１は、アンプやスピーカなどを備えた音響機器であり、音声復号部２０６より出力された音声信号に応じた音声再生を行う。ＯＳＤ処理部２０７は、ＣＰＵ２１３の制御のもと、映像復号部２０５より出力された映像信号に所定のＯＳＤ処理を施し、表示装置２２２へ出力する。表示装置２２２は、ＬＣＤ（Liquid  Crystal  Display）等であり、出力された映像信号に基づいた画面表示を行う。例えば、表示装置２２２は、多重化されたトランスポートストリームＴＳ１から分離されたＳＩに含まれるＥＩＴ情報をもとに、電子番組ガイド（ＥＰＧ）等の画面表示を行う。
【００４０】
通信Ｉ／Ｆ部２０８は、ＣＰＵ２１３の制御のもと、所定の通信プロトコルによる通信ネットワーク４とのデータ通信を行うインターフェースである。操作部２０９は、操作キーやリモートコントローラなどであり、ユーザの操作入力を受け付ける。ＮＶＲＡＭ２１０は、各種設定情報を記憶する。例えば、ＮＶＲＡＭ２１０には、放送受信装置２が取り扱い可能なコンテンツのフォーマットなどが設定情報として記憶される。
【００４１】
ＲＯＭ２１１は、ＣＰＵ２１３が実行するプログラムなどを記憶する。ＲＡＭ２１２は、ＣＰＵ２１３がプログラムを実行する際の作業領域を提供する。また、ＲＡＭ２１２は、多重化されたトランスポートストリームＴＳ１から分離されたＳＩに含まれるＥＩＴ情報を一時記憶する領域なども提供する。ＣＰＵ２１３は、ＲＯＭ２１１に記憶されたプログラムをＲＡＭ２１２の作業領域に展開して順次実行することで、放送受信装置２の動作を中央制御する。また、ＣＰＵ２１３は、ＲＴＣ（Real  Time  Clock）機能を有し、現在時刻の計時が可能であるものとする。
【００４２】
デスクランブラ２１４は、セキュリティモジュール２２０に記憶された鍵情報をもとに、受信したトランスポートストリームＴＳ１においてスクランブルされているペイロード部をデスクランブルする。このデスクランブラ２１４によるデスクランブルにより、放送受信装置２では、ＥＭＭやＥＣＭを用いた限定受信に対応する。記憶部２１５は、ＨＤＤ等の大容量記憶媒体であり、例えば受信したコンテンツなどを記憶する。
【００４３】
次に、ＣＰＵ２１３の制御の下で実行される放送受信装置２の動作について説明する。図９は、放送受信装置２の動作の一例を示すフローチャートである。なお、図９に例示する放送受信装置２の動作は、操作部２０９による操作入力により、例えば電子番組ガイド（ＥＰＧ）等で一覧表示された放送コンテンツ（番組）の中からいずれかの放送コンテンツ（番組）を選択し、その選択された放送コンテンツ（番組）に対応する配信コンテンツが当該放送受信装置２において利用が可能か否かの確認が指示された際に開始されるものとする。
【００４４】
図９に示すように、いずれかの放送コンテンツに対応する配信コンテンツの利用の可否の確認が指示されると（Ｓ１０）、ＣＰＵ２１３は、その放送コンテンツにかかるＥＩＴ情報Ｉ３ａを放送コンテンツごとに設定されているｉｄ（ｅｖｅｎｔ＿ｉｄ）をもとに読み出し、そのＥＩＴ情報Ｉ３ａに記述されている、図５の記述子の有無を確認する。この記述子が存在する場合に、この記載内容を基に、最初にエントリされている配信コンテンツに対し、まずその再生期限にかかる情報（ｅｘｐｉｒａｔｉｏｎ＿ｄａｔｅ）を参照する（Ｓ１１）。
【００４５】
次いで、ＣＰＵ２１３は、現在の日時がＥＩＴ情報Ｉ３ａに記述されている再生期限内であるか否かを判定する（Ｓ１２）。現在日時がＥＩＴ情報Ｉ３ａに記述されている再生期限内である場合（Ｓ１２：ＹＥＳ）、ＣＰＵ２１３は、放送コンテンツにかかる配信コンテンツが再生期限内であることから、当該配信コンテンツは利用可能とする（Ｓ１３）。また、現在日時がＥＩＴ情報Ｉ３ａに記述されている再生期限内でない場合（Ｓ１２：ＮＯ）、ＣＰＵ２１３は、放送コンテンツにかかる配信コンテンツが再生期限外であることから、当該配信コンテンツは利用不可とし（Ｓ１４）、Ｓ２７の判定へ進める。
【００４６】
次いで、ＣＰＵ２１３は、３Ｄフォーマットにかかる情報（３Ｄ＿ｖｉｄｅｏ＿ｆｏｒｍａｔ）を参照し（Ｓ１５）、当該配信コンテンツの映像に含まれる３Ｄフォーマットが、自装置で対応可能か否か判定する（Ｓ１６）。具体的には、３Ｄ＿ｖｉｄｅｏ＿ｆｏｒｍａｔに３Ｄフォーマットが記載されている場合に、放送受信装置２が取り扱い可能なフォーマットとしてＮＶＲＡＭ２１０の設定情報に記載されたものか否かを判定する。自装置に対応可能な３Ｄフォーマットである場合（Ｓ１６：ＹＥＳ）、ＣＰＵ２１３は、当該配信コンテンツは利用可能とする（Ｓ１７）。自装置に対応可能な３Ｄフォーマットが３Ｄ＿ｖｉｄｅｏ＿ｆｏｒｍａｔに記載されていない場合（Ｓ１６：ＮＯ）、ＣＰＵ２１３は、当該配信コンテンツは利用不可とする（Ｓ１８）。
【００４７】
次いで、ＣＰＵ２１３は、解像度にかかる情報（ｅｘｔｅｎｄｅｄ＿ｖｉｄｅｏ＿ｒｅｓｏｌｕｔｉｏｎ＿ｆｏｒｍａｔ）を参照し（Ｓ１９）、配信コンテンツの映像が自装置で取り扱いが可能な解像度の映像であるか否かを判定する（Ｓ２０）。本例では、配信コンテンツのフォーマットが４Ｋ２Ｋの場合、Ｓ２０において自装置が４Ｋ２Ｋ映像に対応しているか否かを判定している。自装置が４Ｋ２Ｋフォーマットに対応している場合（Ｓ２０：ＹＥＳ）、ＣＰＵ２１３は、当該配信コンテンツを利用可能とする（Ｓ２１）。自装置が４Ｋ２Ｋフォーマットに対応していない場合（Ｓ２０：ＮＯ）、ＣＰＵ２１３は、当該配信コンテンツを利用不可とする（Ｓ２２）。
【００４８】
次いで、ＣＰＵ２１３は、ＥＩＴ情報Ｉ３ａに記述されている契約にかかる情報（ｃｏｎｔｒａｃｔ＿ｆｌａｇ）を参照し（Ｓ２３）、配信コンテンツが有料であるか否かを判定する（Ｓ２４）。有料である場合（Ｓ２４：ＹＥＳ）、ＣＰＵ２１３は、配信コンテンツの視聴には有料とする（Ｓ２５）。有料でない場合（Ｓ２４：ＮＯ）、ＣＰＵ２１３は、配信コンテンツの視聴には無料とする（Ｓ２６）。これらの一連の判定の結果、再生期限内であり、３Ｄフォーマット、４Ｋ２Ｋフォーマットに自装置が対応している場合に限り、最初のエントリの配信コンテンツは利用可能と判断する。
【００４９】
次いで、ＣＰＵ２１３は、ＥＩＴ情報Ｉ３ａに記述されているエントリの終了、すなわち、ＥＩＴ情報Ｉ３ａの記述の最後まで処理を行ったか否かを判定する（Ｓ２７）。エントリの終了でない場合（Ｓ２７：ＮＯ）、ＣＰＵ２１３は次のエントリへインクリメント（Ｓ２８）してＳ１１へ処理を戻す。これにより、３Ｄフォーマットの違いや解像度の違いなど、相違するフォーマットごとに配信コンテンツが用意される場合には、これらが全て参照されることとなる。
【００５０】
エントリの終了である場合（Ｓ２７：ＹＥＳ）、ＣＰＵ２１３は、Ｓ１１〜Ｓ２８の処理において利用可能な配信コンテンツが存在するか否かを判定する（Ｓ２９）。利用可能な配信コンテンツが存在しない場合（Ｓ２９：ＮＯ）、ＣＰＵ２１３は、確認が指示された放送コンテンツにかかる利用可能な配信コンテンツがない旨のメッセージをＯＳＤ処理部２０７により表示装置２２２の画面に表示して（Ｓ３０）、処理を終了する（Ｓ３１）。
【００５１】
利用可能な配信コンテンツが存在する場合（Ｓ２９：ＹＥＳ）、ＣＰＵ２１３は、確認が指示された放送コンテンツにかかる配信コンテンツであり、利用可能な配信コンテンツを選択する選択画面をＯＳＤ処理部２０７により表示装置２２２に表示する（Ｓ３２）。次いで、ＣＰＵ２１３は、操作部２０９による操作入力により配信コンテンツの選択が受け付けられたか否かを判定する（Ｓ３３）。選択が受け付けられない場合（Ｓ３３：ＮＯ）はＳ３２へ処理を戻して、選択が受け付けられる（Ｓ３３：ＹＥＳ）まで処理を待機する。
【００５２】
図１０は、選択画面Ｇの一例を示す概念図である。図１０に示すように、表示装置２２２の選択画面Ｇには、確認が指示された放送コンテンツにかかる配信コンテンツＧ１、Ｇ２が表示される。配信コンテンツＧ１、Ｇ２には、Ｓ１６により判定された３Ｄフォーマットの対応の有無、Ｓ２０により判定された４Ｋ２Ｋへの対応の有無、Ｓ２４により判定された有料／無料の違い、Ｓ１１により参照された再生期限などの情報が表示される。したがって、配信コンテンツＧ１、Ｇ２のフォーマット、有料／無料の違い、再生期限などをユーザが確認できる。ユーザは、配信コンテンツＧ１、Ｇ２のいずれかを、操作部２０９による操作入力により選択する。
【００５３】
配信コンテンツの選択が受け付けられた場合（Ｓ３３：ＹＥＳ）、ＣＰＵ２１３は、受け付けられた配信コンテンツのオフセットにかかる情報（ｓｔａｒｔ＿ｔｉｍｅ＿ｏｆｆｓｅｔ／ｓｔａｒｔ＿ｔｉｍｅ＿ｏｆｆｓｅｔ＿ｐｏｌａｒｉｔｙ）を参照し（Ｓ３４）、現在時刻を計時する（Ｓ３５）。
【００５４】
次いで、ＣＰＵ２１３は、配信コンテンツのオフセットにかかる情報として設定されているオフセット時間を、Ｓ３５で計時した現在時刻が経過しているか否かを判定する（Ｓ３６）。オフセット時間を現在時刻が経過していない場合（Ｓ３６：ＮＯ）、Ｓ３５へ処理を戻して、オフセット時間を経過する（Ｓ３６：ＹＥＳ）まで処理を待機する。
【００５５】
現在時刻がオフセット時間を経過した場合（Ｓ３６：ＹＥＳ）、ＣＰＵ２１３は、配信コンテンツのＵＲＩ（ｕｒｉ＿ｃｈａｒ）と、配信方式にかかる情報（ｄｅｌｉｖｅｒｙ＿ｔｙｐｅ）とを参照し（Ｓ３７，Ｓ３８）、ＵＲＩで示される配信サーバ３の格納場所に格納されている配信コンテンツに、参照した配信方式でアクセスする（Ｓ３９）。この配信コンテンツへのアクセスにより、放送受信装置２は、配信コンテンツを配信サーバ３より取得し、再生することが可能となる。
【００５６】
図１１は、放送受信装置２の配信コンテンツの再生にかかる動作の一例を示すフローチャートである。図１１に示すように、配信コンテンツへのアクセスにより配信コンテンツの再生が開始されると（Ｓ４０）、ＣＰＵ２１３は、配信サーバ３より通信ネットワーク４を介して送信される配信コンテンツを受信し、再生する（Ｓ４１）。
【００５７】
配信コンテンツの再生時において、ＣＰＵ２１３は、配信コンテンツの終了や操作部２０９の操作入力による再生終了などによる、終了検知の有無を判定する（Ｓ４２）。終了検知と判定されない場合（Ｓ４２：ＮＯ）は、Ｓ４１へ処理を戻し、配信コンテンツの再生を継続する。
【００５８】
終了検知と判定された場合（Ｓ４２：ＹＥＳ）、ＣＰＵ２１３は、配信コンテンツのｒｅｔｕｒｎ＿ｔｏ＿ｂｒｏｄｃａｓｔ＿ｆｌａｇを参照し（Ｓ４３）、配信コンテンツの再生前に受信していた放送への戻り指定の有無を判定する（Ｓ４４）。戻り指定がある場合（Ｓ４４：ＹＥＳ）、ＣＰＵ２１３は、配信コンテンツ再生前の放送チャンネルへの遷移を行い、配信コンテンツの再生処理を終了する（Ｓ４５）。戻り指定がない場合（Ｓ４４：ＮＯ）、ＣＰＵ２１３は、配信コンテンツの再生の終了を告げる終了画面をＯＳＤ処理部２０７により表示装置２２２に表示して、配信コンテンツの再生処理を終了する（Ｓ４６）。
【００５９】
以上のように、放送受信装置２では、ＣＰＵ２１３の制御のもと、受信されたトランスポートストリームＴＳ２に多重化されているＳＩを多重分離処理部２０３で分離する。また、放送受信装置２では、ＣＰＵ２１３の制御のもと、分離されたＳＩのＥＩＴ情報Ｉ３ａに記述されている、放送される放送コンテンツが通信ネットワーク４を介して配信される場合の、配信コンテンツのフォーマットを示す配信コンテンツフォーマット情報を参照し、配信コンテンツのフォーマットが自装置に対応するか否かを判別する。また、放送受信装置２では、ＣＰＵ２１３の制御のもと、配信コンテンツのフォーマットが自装置に対応する場合に、ＥＩＴ情報Ｉ３ａに記述されている受信再生関連情報をもとに、配信コンテンツへアクセスする。したがって、放送受信装置２は、配信サーバ３に直接アクセスすることなく、配信サーバ３が通信ネットワーク４を介して配信する配信コンテンツのフォーマットが自装置に対応するか否かを判別し、その配信コンテンツにアクセス可能である。
【００６０】
また、ＥＩＴ情報Ｉ３ａには配信コンテンツの再生にかかる再生情報（例えば、ｓｔａｒｔ＿ｔｉｍｅ＿ｏｆｆｓｅｔ／ｓｔａｒｔ＿ｔｉｍｅ＿ｏｆｆｓｅｔ＿ｐｏｌａｒｉｔｙやｒｅｔｕｒｎ＿ｔｏ＿ｂｒｏｄｃａｓｔ＿ｆｌａｇ等）が記述されていることから、再生制御手段としてのＣＰＵ２１３は、その再生情報を参照することで、配信コンテンツの再生開始を制御することが可能となる。例えば、ｓｔａｒｔ＿ｔｉｍｅ＿ｏｆｆｓｅｔ／ｓｔａｒｔ＿ｔｉｍｅ＿ｏｆｆｓｅｔ＿ｐｏｌａｒｉｔｙの記述をもとに、現在時刻がオフセット時間を経過した後の配信コンテンツの再生を行うことができる。また、ｒｅｔｕｒｎ＿ｔｏ＿ｂｒｏｄｃａｓｔ＿ｆｌａｇの記述をもとに、配信コンテンツの再生終了時には、配信コンテンツの再生前に受信していた放送への戻りを行うことができる。
【００６１】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【００６２】
また、上記の実施形態では図１に示すように、放送伝送路が地上波、衛星、ＣＡＴＶなどを想定して説明したが、通信ネットワーク４を利用するＩＰ放送であってもその本質は変わらない。ＩＰ放送の場合にはＩＰＴＶフォーラム規定のＩＰ放送仕様ＩＰＴＶＦＪ  ＳＴＤ−０００４に記載のように、マルチキャスト配信され、ＶＯＤの場合のユニキャスト配信とは配信システムが異なる。このため、ＩＰ放送受信時に、わざわざ配信システムを切り替えてＶＯＤ配信システムへ直接アクセスしなくともＶＯＤ配信コンテンツとその対応の可否が判断できる点で、上述した実施形態と効果は同じである。
【００６３】
なお、図５においては複数の配信コンテンツの情報が１つの記述子で記載できる形式として例示したが、１つの配信コンテンツごとに１つの記述子を記載する形式としてもよいことは言うまでもないことである。
【符号の説明】
【００６４】
１００…放送システム、１…放送送信装置、２…放送受信装置、３…配信サーバ、４…通信ネットワーク、５ａ…ＧＷ、５ｂ…ＧＷ、１０…放送局、１１…映像符号化部、１２…音声符号化部、１３ａ、１３ｂ、１３ｃ…ＰＥＳ化部、１４…ＳＩ情報生成部、１５…セクション化部、１６…送信部、１６ａ…多重化部、１６ｂ…伝送路符号化部、２０１…伝送路復号部、２０２…モジュールＩ／Ｆ部、２０３…多重分離処理部、２０４…ＰＳ／ＴＳ処理部、２０５…映像復号部、２０６…音声復号部、２０７…ＯＳＤ処理部、２０８…通信Ｉ／Ｆ部、２０９…操作部、２１０…ＮＶＲＡＭ、２１１…ＲＯＭ、２１２…ＲＡＭ、２１３…ＣＰＵ、２１４…デスクランブラ、２１５…記憶部、２１６…バス、２２０…セキュリティモジュール、２２１…音声出力装置、２２２…表示装置、Ｉ１…映像信号、Ｉ２…音声信号、Ｉ３…字幕／文字スーパー、Ｉ４…番組関連情報、Ｉ３ａ…ＥＩＴ情報、Ｇ…選択画面、Ｇ１…配信コンテンツ、Ｇ２…配信コンテンツ、ＴＳ１、ＴＳ２…トランスポートストリーム
【図１】
2012110050.tif 000003
【図２】
2012110050.tif 000004
【図３】
2012110050.tif 000005
【図４】
2012110050.tif 000006
【図５】
2012110050.tif 000007
【図６】
2012110050.tif 000008
【図７】
2012110050.tif 000009
【図８】
2012110050.tif 000010
【図９】
2012110050.tif 000011
【図１０】
2012110050.tif 000012
【図１１】
2012110050.tif 000013